(57)【要約】      （修正有）【課題】段ボール材等の単一のシート材を用いて複数の収納部を形成し、その収納部の少なくとも１つを幅の狭い収納部とすること。【解決手段】本発明の収納箱は、連続する第１〜６領域を備えた１枚の段ボール材を折り曲げて形成し、第１収納部と第２収納部とからなる収納空間を有する。第４領域を天板とし、天板に対しほぼ垂直に折り曲げた第３領域を第１側壁とし、天板に対向し、かつ第３領域に対してほぼ垂直をなすように折り曲げられた第２領域を第１底板とし、第１底板に対しほぼ垂直に立ち上げた第１領域を中間仕切板とし、天板に対しほぼ垂直に折り曲げた第５領域を第２側壁とし、天板に対向し、かつ第５領域に対してほぼ垂直をなすように折り曲げられた第６領域を第２底板とし、第６領域の幅は、開口部の幅から第２領域の幅を差し引いたものより大きくした。【選択図】図１
2008094440.tif 000002
【特許請求の範囲】
【請求項１】
１枚のシート材を折り曲げて形成され、第１側壁と第２側壁とに挟まれる収納空間を有し、該収納空間は中間仕切板によって第１収納部と第２収納部とに仕切られ、前記第１収納部は第１底板を底面とし、前記第２収納部は第２底板を底面とし、天板に形成された開口部から収納物を出し入れする収納箱であって、
少なくとも前記１枚のシート材は、折り曲げ線によって区分される、第１領域と、第２領域と、第３領域と、第４領域と、第５領域と、第６領域とを備え、
前記第４領域を前記天板とし、
前記天板に対しほぼ垂直に折り曲げた前記第３領域を前記第１側壁とし、
前記天板に対向し、かつ前記第３領域に対してほぼ垂直をなすように折り曲げられた第２領域を前記第１底板とし、
前記第１底板に対しほぼ垂直に立ち上げた前記第１領域を前記中間仕切板とし、
前記天板に対しほぼ垂直に折り曲げた前記第５領域を前記第２側壁とし、
前記天板に対向し、かつ前記第５領域に対してほぼ垂直をなすように折り曲げられた第６領域を前記第２底板とし、
前記第６領域の幅は、前記開口部の幅から前記第２領域の幅を差し引いたものより大きいことを特徴とする収納箱。
【請求項２】
前記第６領域の隣接部分に折り曲げ線によって区分される第７領域をさらに連続して延設して付加形成し、
前記第７領域を前記第６領域に対してほぼ垂直に立ち上げて、前記第１底板の一部を貫通させて第２仕切板を形成し、
前記第１収納部を、前記第２仕切板によってさらに２つの収納部に分けて、３つの収納部を形成したことを特徴とする請求項１に記載の収納箱。
【請求項３】
前記第５領域の幅を前記第１領域の幅よりも大きくすることで、前記天板と前記第２底板との間隔を、前記天板と前記第１底板との間隔より大きくしたことを特徴とする請求項１、２の何れか１項に記載の収納箱。
【発明の詳細な説明】
【技術分野】
【０００１】
本発明は、段ボール材などのシート材を用いて、小型商品を梱包する技術に関するものであり、特には、仕切板によって複数の収納部を形成し、その収納部の少なくとも１つが幅の狭い収納部となるような収納箱に関するものである。
【背景技術】
【０００２】
従来より、１枚の矩形の段ボール材を所定の複数箇所に折り目や切れ目を設けて、内部を仕切板によって複数の収納部に区切った収納箱を形成することが行われていた。（例えば、特許文献１参照）
【０００３】
【特許文献１】特開平５−３０５９３９号公報の図４、５およびその説明。
【発明の開示】
【発明が解決しようとする課題】
【０００４】
上述した特許文献１等に記載されている従来の収納箱では、図１４の（ａ）に、符号１０１で示したように、各収納部の側壁と底面とは段ボールをＵ字形状に折り曲げて形成し、図１４の（ｂ）に示したように、それをさらに折り重ることで２つの収納部１１０、１２０を備えた収納箱１００が形成されている。このとき、各収納部１１０、１２０の強度を増して、変形し難くするために、段ボールのライナーの目の方向と直交する方向に折り曲げることが多い。しかし、段ボールをライナーの目の方向と直交する方向には曲げ難いという折り曲げ特性があるので、特に、図１５に示したように、近接する２箇所（例えば20ミリ程度の距離で近接する２箇所）で折り曲げて幅の狭い（例えば20ミリ程度の幅の）収納部１１１を形成することは困難であった。
そのため、幅の狭い収納部を形成するには、別途形成した仕切板を接着するなどの加工が必要となり、その場合には、接着加工の手間の発生と、接着剤が段ボール材に混入することによる資源再利用における問題の発生などがあった。
【０００５】
そこで、本発明は、単一の素材を用いて複数の収納部を形成し、その収納部の少なくとも１つを幅の狭い収納部とし得る収納箱を提供することを目的としてなされたものである。
【課題を解決するための手段】
【０００６】
本発明にかかる請求項１の収納箱は、
１枚のシート材を折り曲げて形成され、第１側壁と第２側壁とに挟まれる収納空間を有し、該収納空間は中間仕切板によって第１収納部と第２収納部とに仕切られ、前記第１収納部は第１底板を底面とし、前記第２収納部は第２底板を底面とし、天板に形成された開口部から収納物を出し入れする収納箱であって、
少なくとも前記１枚のシート材は、折り曲げ線によって区分される、第１領域と、第２領域と、第３領域と、第４領域と、第５領域と、第６領域とを備え、
前記第４領域を前記天板とし、
前記天板に対しほぼ垂直に折り曲げた前記第３領域を前記第１側壁とし、
前記天板に対向し、かつ前記第３領域に対してほぼ垂直をなすように折り曲げられた第２領域を前記第１底板とし、
前記第１底板に対しほぼ垂直に立ち上げた前記第１領域を前記中間仕切板とし、
前記天板に対しほぼ垂直に折り曲げた前記第５領域を前記第２側壁とし、
前記天板に対向し、かつ前記第５領域に対してほぼ垂直をなすように折り曲げられた第６領域を前記第２底板とし、
前記第６領域の幅は、前記開口部の幅から前記第２領域の幅を差し引いたものより大きいことを特徴としている。
請求項２の発明は、さらに、
前記第６領域の隣接部分に折り曲げ線によって区分される第７領域をさらに連続して延設して付加形成し、
前記第７領域を前記第６領域に対してほぼ垂直に立ち上げて、前記第１底板の一部を貫通させて第２仕切板を形成し、
前記第１収納部を、前記第２仕切板によってさらに２つの収納部に分けて、３つの収納部を形成したことを特徴としている。
請求項３の発明は、さらに、
前記第５領域の幅を前記第１領域の幅よりも大きくすることで、前記天板と前記第２底板との間隔を、前記天板と前記第１底板との間隔より大きくしたことを特徴としている。
【発明の効果】
【０００７】
本発明の収納箱は、段ボール材などの１枚のシート材を折り曲げて複数の収納部が形成されており、その少なくとも１つの収納部の幅を前記シート材の折り曲げ特性に制約されない狭い幅にすることができる。
しかも、本発明の収納箱は、接着剤などの余分な材料を使用しないのでリサイクルに適している。
【発明を実施するための最良の形態】
【０００８】
以下に、本発明にかかる収納箱を、その実施の形態を示した図面に基づいて詳細に説明する。
図１は、本発明の収納箱の実施形態１の斜視図である。
図２は、前記収納箱の形成方法を説明するための説明図である。
図１において、
１０は本発明に係る収納箱であり、例えば段ボール材等の１枚のシート材を折り曲げ形成され、基本的な形状はほぼ直方体形状であり、該収納箱１０の内部には製品等の収納物を収納する収納空間Ｓが形成されている。
前記収納空間Ｓは中間仕切板Ａによって第１収納部Ｓ１と第２収納部Ｓ２の２つの収納部に仕切られており、２以上の製品等を分別して収納することができる。
【０００９】
前記収納箱１０の天板１３にはほぼ矩形の開口部１２が形成され、収納物を天面から収納空間Ｓへ出し入れ可能に構成されている。
前記中間仕切板１Ａと図上左側の第１側壁１Ｃとで、前記第１収納部Ｓ１において対面する一対の壁が形成されている。
前記中間仕切板Ａと図上右側の第２側壁１Ｅとで、前記第２収納部Ｓ２において対面する一対の壁が形成されている。
前記中間仕切板１Ａの位置を図上右側に偏位させて配置することによって、第２収納部Ｓ２において対面する一対の壁を形成すると中間仕切板１Ａと第２側壁１Ｅとの幅は、第１収納部Ｓ１において対面する一対の壁を形成すると中間仕切板１Ａと第１側壁１Ｃとの幅より狭く形成されている。
第１収納部Ｓ１には第１底板１Ｂが形成され、第２収納部Ｓ２には第２底板１Ｆが形成されている。前記第２底板１Ｆの幅は、前記開口部１２の幅もしくは前記天板１３の幅から前記第１底板１Ｂの幅を差し引いたものより大きくしたので、第１底板１Ｂと第２底板１Ｆの少なくとも一部が重なり、収納箱１０の底面の少なくとも一部が二重構造となっている。
【００１０】
前記収納箱１０は、後述するように、図２に示したような段ボール材１Ｐを折り曲げて形成したものである。
前記中間仕切板１Ａは、前記段ボール材１Ｐの１端側の第１領域を垂直に立ち上げて第１収納部Ｓ１と第２収納部Ｓ２との間に配設されている。
第１底板１Ｂは、前記第１領域と折り曲げ線を介して連続する第２領域を水平に配設して形成され、第１側壁１Ｃは、前記第２領域と折り曲げ線を介して連続する第３領域を垂直に立ち上げて形成され、天板１３は、前記第３領域と折り曲げ線を介して連続する第４領域を収納空間Ｓに水平にかぶせて形成され、第２側壁１Ｅは、前記第４領域と折り曲げ線を介して連続する第５領域を垂直に立ち下げて形成され、前記第２底板１Ｆは、前記第４領域と折り曲げ線を介して連続する第６領域を水平に配設して形成されている。
【００１１】
前記収納箱１０は、１枚のシート状の段ボール材に展開することができる。収納箱１０の展開図を図２の（ａ）に示す。この展開図に示したように、１枚の段ボール材１Ｐは、第１領域１Ａと、第２領域１Ｂと、第３領域１Ｃと、第４領域１Ｄと、第５領域１Ｅと、第６領域Ｆとが、連続して形成され、互いに平行な５本の折り曲げ線Ｌ１〜Ｌ５によって区分されている。段ボール材１Ｐのライナーの目Ｑの方向と直交する方向に折り曲げ線Ｌ１〜Ｌ５が形成されている。
なお、図１、２における各部分の対応関係が分かりやすいように、図１において収納箱１０を構成する各部分と、図２において展開した段ボール材１Ｐの各領域に対応する部分には同じ符号を付した。
【００１２】
図２の（ａ）に示したように、前記第２領域１Ｂの幅は第４領域１Ｄの幅より狭く形成され、第１領域１Ａの幅は第５領域１Ｅの幅より狭く形成されている。また、第４領域１Ｄには開口部１Ｄ１が切り抜き形成されている。
前記段ボール材１Ｐから図１に示した収納箱１０を形成するときには、図２の（ｂ）に示したように、前記各折り曲げ線Ｌ１〜Ｌ５で順次谷折りする。このとき、前記第２領域１Ｂの幅は第４領域１Ｄの幅より狭いので、第１領域Ａは第５領域１Ｅより内側で立ち上がり、中間仕切板Ａが形成される。また、第５領域１Ｅの幅は第１領域１Ａの幅より広いので、第５領域１Ｆは第２領域１Ｂの下側に来る。したがって、図２の（ｃ）に示したような底面の一部が二重構造となった断面形状の収納箱１０が組み立てられる。
【００１３】
図２の（ｃ）に示したように、収納箱１０には、第１収納部Ｓ１と、第２収納部Ｓ２が形成され、これらによって形成される収納空間Ｓの天板１３の一部は第４領域１Ｄで形成されている。
【００１４】
第４領域１Ｄの幅は第２領域１Ｂの幅より広く、第５領域１Ｅは第１領域１Ａより外側に来るので、第２収納部Ｓ２の幅は、第４領域１Ｄの幅と第２領域１Ｂの幅の差に相当する幅となる。したがって、第２収納部Ｓ２の幅は、段ボールの折り曲げ特性に制限されることなく、十分に狭くすることが容易である。
例えば、幅２０ミリ程度の狭い収納部は、前述したような従来の方法では折り曲げて形成することは困難であるが、本発明によれば、第４領域１Ｄの幅と第２領域１Ｂの幅の差を２０ミリ程度にすることで容易に実現できる。
【００１５】
なお、図２の第１領域１Ａ〜第６領域１Ｆは、特許請求の範囲に記載された第１領域〜第６領域に対応する構成である。第１領域１Ａは、特許請求の範囲に記載された中間仕切板に対応し、第２領域１Ｂは、特許請求の範囲に記載された第１底板に対応し、第３領域１Ｃは、特許請求の範囲に記載された第１側壁に対応し、第４領域１Ｄは、特許請求の範囲に記載された天板に対応し、第５領域１Ｅは、特許請求の範囲に記載された第２側壁に対応し、第６領域１Ｆは、特許請求の範囲に記載された第２底板に対応している。
【００１６】
図３は、前記実施形態１を改良した本発明の収納箱の実施形態２の斜視図である。
図４は、前記収納箱の形成方法を説明するための説明図である。
図３において、
２０は実施形態２に係る収納箱であり、例えば段ボール材等の１枚のシート材を折り曲げ形成され、基本的な形状はほぼ直方体形状であり、該収納箱２０の内部には製品等の収納物を収納する収納空間Ｓが形成されている。
前記収納箱２０の天板２３にはほぼ矩形の開口部２２が形成され、収納物を天面から収納空間Ｓへ出し入れ可能に構成されている。
前記収納空間Ｓは中間仕切板Ａと第２仕切板２Ｇ１とによって第１収納部Ｓ１と第２収納部Ｓ２と第３収納部Ｓ３の３つの収納部に仕切られており、３以上の製品等を分別して収納することができる。
図３において、第１収納部Ｓ１の周壁は、中間仕切板２Ａ、第２仕切板２Ｇ１、及び後述する折り曲げ片２Ｄ２、２Ｄ３に対応する側壁２Ｄ２、２Ｄ３によって形成され、第２収納部Ｓ２の周壁は、中間仕切板２Ａ、第５領域２Ｅ、及び脚部材２Ｄ６、２Ｄ７によって形成され、第３収納部Ｓ３の周壁は、第３領域２Ｃ、第２仕切板２Ｇ１、及び側壁２Ｄ２、２Ｄ３によって形成されている。
第２仕切板２Ｇは、第２収納部Ｓ２の第２底板２Ｆを、天板２３を形成する第４領域２Ｄの幅より広く延設し、さらに、その先に、６本目の折り曲げ線によって区分される第７領域２Ｇを、第５領域２Ｅとほぼ同じ幅で延設したものである。
【００１７】
図４の（ａ）に示したように、第７領域２Ｇの先を細くして第２仕切板２Ｇ１を形成し、第２領域２Ｂには前記第２仕切板２Ｇ１を差し込むための切り抜き部２Ｂ１を形成した。
また、第４領域２Ｄには開口部２Ｄ１を切り抜き形成するとともに、折り曲げ片２Ｄ２、２Ｄ３を形成した。折り曲げ片２Ｄ２、２Ｄ３は、折り曲げ線に直交する方向の折り曲げ線Ｌ７，Ｌ８で収納部側へ直角に折り曲げ、収納空間Ｓの上下の側壁とするとともに、収納箱としての強度を増し、変形を防止する手段とする。さらに、前記折り曲げ片２Ｄ２、２Ｄ３と、第２領域２Ａとには、組み立て時に互いに係合しあう切欠き２Ｄ４、２Ｄ５および切欠き２Ａ１、２Ａ２を形成した。これらの切欠き２Ｄ４、２Ｄ５および切欠き２Ａ１、２Ａ２が互いに係合しあうことによって、第４領域２Ｄで形成される天板２３と、第２領域２Ａで形成される中間仕切板２Ａとの相対的な位置関係が所定の関係に保持され、収納箱としての強度が増して、変形を防止する手段が形成される。なお、前記折り曲げ片２Ｄ２、２Ｄ３の一部が延長されて脚部材２Ｄ６、２Ｄ７が形成されている。
【００１８】
図４の実施形態２における各部の寸法関係を以下に示す。
図４において、第１領域２Ａの幅（図上の左右方向の寸法。以下同様）をａ、第２領域２Ｂの幅をｂ、第３領域２Ｃの幅をｃ、第４領域２Ｄの幅をｄ、第５領域２Ｅの幅をｅ、第６領域２Ｆの幅をｆ、第７領域２Ｇの幅をｇとした。また、切欠き２Ａ１、２Ａ２の深さ（図上の左右方向の寸法。）と、切欠き２Ｄ４、２Ｄ５から第７の折り曲げ線Ｌ７，Ｌ８までの残存部分の寸法（図上の上下方向の寸法。）とは、ともに同寸のｋとした。また、第２仕切板２Ｇ１の幅（図上の上下方向の寸法。）と前記切り抜き部２Ｂ１の幅（図上の上下方向の寸法。）とはともに同寸のｊとした。また、切欠き２Ａ１、２Ａ２の間隔（図上の上下方向の間隔。）は、前記折り曲げ線Ｌ７，Ｌ８間の寸法と同寸のｈとした。また、前記折り曲げ線Ｌ７，Ｌ８から脚部材２Ｄ６、２Ｄ７の先までの長さ（図上の上下方向の寸法。）は、前記第５領域２Ｅの幅と同寸のｅとした。また、第２仕切板２Ｇ１の高さ（図上の左右方向の寸法。）ｇ１は第１領域Ａの幅ａおよび第３領域Ｃの幅ｃと同寸とした。また、第２領域Ｂの幅ｂは第４領域Ｄの幅ｄより短く、第６領域Ｆの幅ｆは第４領域Ｄの幅ｄより短く形成されている。第６領域Ｆの幅ｆと、切り抜き部２Ｂ１と第２の折り曲げ線Ｌ２との間隔ｂ１との和（ｆ＋ｂ１）は、ほぼ第４領域Ｄの幅ｄと同じに設定されている。
第６領域２Ｆの幅ｆ及び２領域２Ｂにおいて切り抜き部２Ｂ１を設ける位置を変更することで第３収納部Ｓ３の幅を変更することができる。
【００１９】
図４の（ｂ）は組み立て途中の状態の概略側面を示した説明図であり、第７領域２Ｇの先の第２仕切板２Ｇ１を、第２領域２Ｂに空けられた切り抜き部２Ｂ１に差し込んで組み立てる。図４の（ｃ）は組み立て完了時の概略側面図であり、第７領域２Ｇの先の第２仕切板２Ｇ１は第２領域２Ｂに空けられた切り抜き部２Ｂ１に差し込まれて、第１収納部Ｓ１と第３収納部Ｓ３とを区分する第２仕切板を形成している。
なお、図４の説明において、図２の説明と同様のものはその説明を省略した。また、図４の（ｂ），（ｃ）においては、図４の（ａ）に示された折り曲げ片２Ｄ２、２Ｄ３、及び脚部材２Ｄ６、２Ｄ７は図示を略した。
【００２０】
図４の（ｃ）に示したように、図２の（ｃ）における第１収納部は、第２仕切板２Ｇ１によって、さらに２つの収納部に分けられて、第１収納部Ｓ１と第３収納能部Ｓ３とが形成され、３つの収納部Ｓ１，Ｓ２，Ｓ３が形成されている。
なお、図４の第１領域２Ａ〜第７領域２Ｇは、特許請求の範囲に記載された第１領域〜第７領域に対応する構成である。第１領域２Ａは、特許請求の範囲に記載された中間仕切板に対応し、第２領域２Ｂは、特許請求の範囲に記載された第１底板に対応し、第３領域２Ｃは、特許請求の範囲に記載された第１側壁に対応し、第４領域２Ｄは、特許請求の範囲に記載された天板に対応し、第５領域２Ｅは、特許請求の範囲に記載された第２側壁に対応し、第６領域２Ｆは、特許請求の範囲に記載された第２底板に対応し、第７領域２Ｇに形成された領域２Ｇ１は、特許請求の範囲に記載された第２仕切板に対応している。
【実施例１】
【００２１】
図５〜図１３を参照して、本願の実施例１に係る収納箱３０について説明する。
収納箱３０は、上述した実施形態２に係る収納箱の実施例である。
図１０〜図１３に示すように、収納箱３０の底面は２段構造であり、第１底板Ｂと第２底板Ｆとが平行になって２段構造の底面が形成されている。
第４領域Ｄによって形成された天板と前記第１底板Ｂとの間隔は、前記天板と前記第第２底板Ｆとの間隔より小さい。
第２収納部Ｓ２の底面は第２底板Ｆによって形成され、第１収納部Ｓ１および第３収納部Ｓ３の底面は第１底板Ｂによって形成され、第２収納部Ｓ２の深さは、第１収納部Ｓ１および第３収納部Ｓ３の深さよりも深い。これらの収納部Ｓ１、Ｓ２、Ｓ３によって収納空間Ｓが形成されている。なお、前記第１底板Ｂと第２底板Ｆとの間の空間を第４収納部とすることができる。
図１０において、収納箱３０の第１収納部Ｓ１の周壁は、中間仕切板Ａ、第２仕切板Ｇ２，Ｇ３、及び後述する折り曲げ片Ｄ２，Ｄ３に対応する側壁Ｄ２，Ｄ３によって形成され、第２収納部Ｓ２の周壁は、中間仕切板Ａ、第５領域Ｅ、及び脚部材Ｄ６，Ｄ７によって形成され、第３収納部Ｓ３の周壁は、第３領域Ｃ、第２仕切板Ｇ２，Ｇ３、及び側壁Ｄ２，Ｄ３によって形成されている。
また、第１底板Ｂは、脚部材Ａ５、Ａ６によって、第２底板Ｆ上に保持される。
【００２２】
前記収納箱３０は、図５の展開図で示した１枚の段ボール材Ｐを折り曲げ形成して組み立てられる。
図５において、第１領域Ａ〜第７領域Ｇ、および折り曲げ線Ｌ１〜６は、図４に示した第１領域２Ａ〜第７領域２Ｇ、および折り曲げ線Ｌ１〜６と同様であり詳細な説明は省略する。
また、第７領域Ｇに形成された第２仕切板Ｇ２、３は、図４に示した第２仕切板２Ｇ１に対応し、第２領域Ｂに形成された切り抜き部Ｂ２、３は、図４の第２領域２Ｂに形成された切り抜き部２Ｂ１に対応し、第４領域Ｄに形成された折り曲げ片Ｄ２、Ｄ３は、図４の第４領域２Ｄに形成された折り曲げ片２Ｄ２、２Ｄ３に対応し、折り曲げ片Ｄ２、Ｄ３に形成された切欠きＤ４、Ｄ５は、図２の折り曲げ片２Ｄ２、２Ｄ３に形成された切欠き２Ｄ４、２Ｄ５に対応し、前記折り曲げ片Ｄ２、Ｄ３の一部が延長されて形成された脚部材Ｄ６、Ｄ７は、図４の折り曲げ片２Ｄ２、２Ｄ３に形成された脚部材２Ｄ６、２Ｄ７に対応する構成であるので、その詳細な説明は省略する。
【００２３】
図５に示したように、段ボール材Ｐには、さらに、前記第１領域Ａの一部を第２領域Ｂ側へ拡張して切り込みを入れて脚部材Ａ５、Ａ６が形成されている。また、前記第３領域Ｃの一部を第２領域Ｂ側へ拡張して切り込みを入れて脚部材Ｃ１、Ｃ２が形成されている。
【００２４】
図５の実施例における各部の寸法ａ，ｂ，ｃ，ｄ，ｅ，ｆ，ｇ，ｂ１，ｄ１，ｇ１，ｈ，ｊ，ｋは、図４の（ａ）における説明とほぼ同様であるので、重複する部分の詳細な説明は省略する。
図４の（ａ）における説明に以下の説明を加える。
図５においては、前記脚部材Ａ５、Ａ６の先から第１領域Ａの端縁までの寸法は、前記第５領域Ｅの幅ｅと同寸のｅとした。また、前記脚部材Ｃ１、Ｃ２の先から第３の折り曲げ線Ｌ３までの寸法は、前記第５領域Ｅの幅ｅと同寸のｅとした。
【００２５】
図６は、図３の段ボール材Ｐを谷折りして組立て途中の概略側面図であり、図７はその斜視図である。
図８は、図６の状態から更に組み立てが進んだ状態の概略側面図であり、第２仕切板Ｇ２、３を、矢印の方向で、切り抜きＢ２、３に差し込む途中の状態を示し、図９はその一部を破断した斜視図である。
なお、図６、８においては、図５に示された折り曲げ片Ｄ２、Ｄ３、及び脚部材Ａ５，Ａ６，Ｃ１，Ｃ２，Ｄ６，Ｄ７は図示を略した。
【００２６】
図１０は組み立て完了して収納箱３０を形成した状態の斜視図であり、図２と同様に、第１収納部Ｓ１，第２収納部Ｓ２，第３収納部Ｓ３が形成されている。
第１収納部Ｓ１と第２収納部Ｓ２とは中間仕切板Ａによって区分され、第１収納部Ｓ１と第３収納部Ｓ３とは第２仕切板Ｇ２、Ｇ３によって区分されている。
第１収納部Ｓ１は幅が広く、第２収納部Ｓ２と第３収納部Ｓ３は幅が狭い。第２収納部Ｓ２は深さが深く、第１収納部Ｓ１と第３収納部Ｓ３とは浅くなっている。
【００２７】
図１１は以上のようにして完成した収納箱３０に商品Ｚ１，Ｚ２，Ｚ３を入れる前の状態の斜視図である。第３収納部Ｓ３には、無線機のアンテナなどのような細長い商品Ｚ１を寝かして収納し、第１収納部Ｓ１には、無線機の本体などのような幅の広い商品Ｚ２を横にして収納し、第２収納部Ｓ２には、無線機のバッテリーパックなどのような幅の広い商品Ｚ３を縦に収納することができる。
図１２は前記収納箱３０に商品Ｚ１，Ｚ２，Ｚ３を入れた状態の斜視図であり、図１３はその側面図である。
図１３において、脚部材Ｃ１、Ｃ２は、図５に示した脚部材Ｃ１、Ｃ２によって形成されている。
また、脚部材Ｄ６、７は、図５に示した脚部材Ｄ６、７によって形成されている。
また、脚部材Ａ５、６は、図５に示した脚部材Ａ５、６によって形成されている。
【００２８】
以上のようにして形成された収納箱３０は、幅が広い第１収納部Ｓ１とともに、幅が狭い第２収納部Ｓ２、第３収納部Ｓ３を、１枚の段ボール材によって形成することができるので、別部材から構成した仕切片や、それを接着するための接着剤などが不要となるので、リサイクルに適している。
また、図５に示したように、ほぼ矩形の段ボール材から僅かの領域を切除するだけで上記効果のえられる収納箱３０が得られるので、材料の無駄が少ない。
また、段ボールのライナーの目の向きに注目して構成することによって、強度が増し、外力による変形に対抗する作用が得られるので、商品を保護する機能が高く、優れた収納箱が得られる。
【産業上の利用可能性】
【００２９】
本発明は、種々の商品などを収納する収納箱として広く利用することができる。
【図面の簡単な説明】
【００３０】
【図１】本発明に係る実施形態の収納箱の斜視図である。
【図２】図１の収納箱の形成方法を説明する説明図である。
【図３】本発明に係る実施形態２の収納箱の斜視図である。
【図４】図３の収納箱の形成方法を説明する説明図である。
【図５】本発明に係る実施例の収納箱を形成する段ボール材の展開図である。
【図６】図５の段ボール材による組み立て途中の概略側面図である。
【図７】図６の概略斜視図である。
【図８】図５の段ボール材による組み立てがさらに進んだ状態の概略側面図である。
【図９】図８の一部を破断した斜視図である。
【図１０】完成状態の収納箱の斜視図である。
【図１１】本発明に係る収納箱の説明図である。
【図１２】梱包材の商品収納状態を示す斜視図である。
【図１３】図１２の側面図である。
【図１４】従来例の収納箱の説明図である。
【図１５】従来例の収納箱における問題点を説明する図である。
【符号の説明】
【００３１】
Ｐ、Ｐ１、Ｐ２  段ボール材
Ｓ１  第１収納部
Ｓ２  第２収納部
Ｓ３  第３収納部
１０．２０．３０  収納箱
１２，２２  開口部
１３，２３  天板
Ａ，１Ａ，２Ａ  第１領域、中間仕切板
Ｂ，１Ｂ，２Ｂ  第２領域、第１底板
Ｃ，１Ｃ，２Ｃ  第３領域、第１側壁
Ｄ，１Ｄ，２Ｄ  第４領域、天板
Ｅ，１Ｅ，２Ｅ  第５領域、第２側壁
Ｆ，１Ｆ，２Ｆ  第６領域、第２底板
Ｇ，２Ｇ  第７領域
Ｇ２．Ｇ３，２Ｇ１  第２仕切板
【図１】
2008094440.tif 000003
【図２】
2008094440.tif 000004
【図３】
2008094440.tif 000005
【図４】
2008094440.tif 000006
【図５】
2008094440.tif 000007
【図６】
2008094440.tif 000008
【図７】
2008094440.tif 000009
【図８】
2008094440.tif 000010
【図９】
2008094440.tif 000011
【図１０】
2008094440.tif 000012
【図１１】
2008094440.tif 000013
【図１２】
2008094440.tif 000014
【図１３】
2008094440.tif 000015
【図１４】
2008094440.tif 000016
【図１５】
2008094440.tif 000017